(57)【要約】【課題】ＩＣカードは、各社ごとのカードを所持する必要があり、使用金額、残高などの取引履歴の確認がカード単体で出来ない。この発明は、１台（１枚）の携帯型情報端末によって、複数の異なる取引を可能にする携帯用情報端末、商取引表示方法およびプログラムを提供する。【解決手段】画像を表示する表示手段４０と、商取引を行うサーバ２５０が送信する信号を受信し、該信号の強度が所定値以上の場合に、該サーバから商取引の内容を受信する受信手段５５とを有した携帯用情報端末であって、前記商取引の内容に応じて、前記表示手段の表示内容および端末機能を設定することを特徴とする。【選択図】　図２
2004046531.tif 000002
【特許請求の範囲】
【請求項１】
筐体と、
前記筐体に設けられた表示手段と、
複数の所定の情報に対応した画面を前記表示手段に表示させる制御手段と、
サーバから送信される信号を受信する受信手段と
を具備することを特徴とする携帯用情報端末。
【請求項２】
前記サーバから送信される信号を受信し、該信号の強度が所定値以上の場合に、前記サーバから所定の情報を受信する受信手段を有することを特徴とする請求項１記載の携帯用情報端末。
【請求項３】
前記サーバから受信する所定の情報に応じて、前記表示手段の表示内容および端末機能を設定することを特徴とする請求項１ないし２記載の携帯用情報端末。
【請求項４】
前記表示内容および前記端末機能を追加し、かつ保存する機能を有することを特徴とする請求項１ないし３記載の携帯用情報端末。
【請求項５】
前記サーバから受信する所定の情報は、商取引に関する情報であることを特徴とする請求項１ないし４記載の携帯用情報端末。
【請求項６】
前記サーバにユーザ情報を送信する送信手段を有し、
前記受信手段を介して、認証情報を受信することを特徴とする請求項１ないし５記載の携帯用情報端末。
【請求項７】
前記受信手段が受信する支払額が、前納した金額よりも高額になる場合に、警告を発する警告手段を有することを特徴とする請求項１ないし６記載の携帯用情報端末。
【請求項８】
前記受信手段は、電車内に設置された送信手段から送信される電車の位置、運賃または次の駅の駅名のうち何れかを含む情報を受信し、
前記表示手段は該情報を表示することを特徴とする請求項１ないし３記載の携帯用情報端末。
【請求項９】
前記筐体はカード状の形状を有し、
前記表示手段は前記カード状の筐体の一面に設けられたものであり、
前記制御手段は複数の商取引の内容を表示させる
ことを特徴とする請求項１ないし８記載の携帯用情報端末。
【請求項１０】
前記筐体は腕時計型の形状を有することを特徴とする請求項１ないし８記載の携帯用情報端末。
【請求項１１】
画像を表示する表示手段と、サーバにユーザ情報を送信する送信手段とを有した携帯用情報端末で実行する表示方法であって、
該サーバから送信される信号を受信し、該信号の強度が所定値以上の場合に、該サーバから所定の情報を受信する受信過程と、
該送信手段を介して、ユーザ情報を送信する送信過程と、
該所定の情報に応じて、該表示手段の表示内容および端末機能を設定する機能設定過程と
を実行することを特徴とする情報の表示方法。
【請求項１２】
前記所定の情報は商取引に関する内容であることを特徴とする請求項１１記載の表示方法。
【請求項１３】
画像を表示する表示手段と、サーバにユーザ情報を送信する送信手段とを有した携帯用情報端末で実行するプログラムであって、
サーバから送信される信号を受信し、該信号の強度が所定値以上の場合に、該サーバから所定の情報を受信する受信過程と、
送信手段を介して、ユーザ情報を送信する送信過程と、
該所定の情報に応じて、表示手段の表示内容および端末機能を設定する機能設定過程と
をコンピュータに実行させることを特徴とするプログラム。
【請求項１４】
前記所定の情報は商取引に関する内容であることを特徴とする請求項１３記載のプログラム。
【発明の詳細な説明】
【０００１】
【発明の属する技術分野】
本発明は、クレジットカード、キャッシュカード等に用いて好適な携帯用情報端末、商取引表示方法およびプログラムに関する。
【０００２】
【背景技術】
クレジットカード、キャッシュカード、プリペイドカード、定期券等の磁気カードは、商取引の内容に応じて、各種のカードが使用されている。さらに、ＩＣカードにおいては、多くの情報が記憶可能であり、その仕様も共通化が進んでいる。
一方、ドットマトリックス方式液晶ディスプレイの高密度化により、小型で高精細の画像表示が可能になった。
【０００３】
【発明が解決しようとする課題】
ＩＣカードは、仕様の共通化がなされているが、各社ごとのカードを所持する必要があった。また、使用金額、残高などの取引履歴の確認がカード単体で出来ないという問題があった。
この発明は上述した事情に鑑みてなされたものであり、１台（１枚）の携帯型情報端末によって、複数の異なる取引を可能にする携帯用情報端末、商取引表示方法およびプログラムを提供することを目的としている。
【０００４】
【課題を解決するための手段】
上記課題を解決するため本発明の一の見地にあっては、
筐体と、前記筐体に設けられた表示手段と、複数の所定の情報に対応した画面を該表示手段に表示させる制御手段と、サーバから送信される信号を受信する受信手段とを具備することを特徴とする。
また、本発明の他の見地にあっては、
前記サーバから送信される信号を受信し、該信号の強度が所定値以上の場合に、該サーバから所定の情報を受信する受信手段を有することを特徴とする。
さらに、前記サーバから受信する所定の情報に応じて、前記表示手段の表示内容および端末機能を設定することを特徴としてもよい。
さらに、前記表示内容および前記端末機能を追加し、かつ保存する機能を有することを特徴としてもよい。
さらに、前記サーバから受信する所定の情報は、商取引に関する情報であることを特徴としてもよい。
さらに、前記サーバにユーザ情報を送信する送信手段を有し、前記受信手段を介して、認証情報を受信することを特徴としてもよい。
さらに、前記受信手段が受信する支払額が前納した金額よりも高額になる場合に、警告を発する警告手段を有することを特徴としてもよい。
さらに、前記受信手段は電車内に設置された送信手段から送信される電車の位置、運賃または次の駅の駅名のうち何れかを含む情報を受信し、前記表示手段は該情報を表示することを特徴としてもよい。
さらに、前記筐体はカード状の形状を有し、前記表示手段は前記カード状の筐体の一面に設けられたものであり、前記制御手段は複数の商取引の内容を表示させることを特徴としてもよい。
さらに、前記筐体は腕時計型の形状を有することを特徴としてもよい。
また、本発明の他の見地にあっては、
画像を表示する表示手段と、サーバにユーザ情報を送信する送信手段とを有した携帯用情報端末で実行する表示方法であって、該サーバから送信される信号を受信し、該信号の強度が所定値以上の場合に、該サーバから所定の情報を受信する受信過程と、該送信手段を介して、ユーザ情報を送信する送信過程と、該所定の情報に応じて、該表示手段の表示内容および端末機能を設定する機能設定過程とを実行することを特徴とする。
さらに、前記所定の情報は商取引に関する内容であることを特徴としてもよい。
また、本発明の他の見地にあっては、
画像を表示する表示手段と、サーバにユーザ情報を送信する送信手段とを有した携帯用情報端末で実行するプログラムであって、
サーバから送信される信号を受信し、該信号の強度が所定値以上の場合に、該サーバから所定の情報を受信する受信過程と、
送信手段を介して、ユーザ情報を送信する送信過程と、
該所定の情報に応じて、表示手段の表示内容および端末機能を設定する機能設定過程とをコンピュータに実行させるプログラムであることを特徴とする。
さらに、前記所定の情報は商取引に関する内容であることを特徴としてもよい。
【０００５】
【発明の実施の形態】
１．第一実施形態
（１）第一実施形態の構成
本発明の一実施形態であるカード状の携帯用情報端末のブロック図を図１に示す。
図において、１０はＣＰＵであり、各部の制御を行う。２０はフラッシュＲＯＭであり、電気的書き込み消去可能なＲＯＭである。このＲＯＭにＣＰＵ１０を制御するプログラム、パラメータ等が書き込まれる。３０はＲＡＭであり、ＣＰＵ１０のワークメモリとして用いられる。４０は表示パネルであり、ドットマトリクス方式の液晶表示パネルが用いられる。４５は電源部であり、充電式電池により構成される。５０はワイヤレス受信部であり、電波式の無線通信により受信する。７０はスイッチ部であり、機能スイッチ７１により構成され（図５（ａ））、機能、表示を切り換える。８０はバスラインであり、各部を接続する。１００は本実施形態の携帯用情報端末を示す。また、２００はサーバであり、駅構内の改札近傍に設置される。
【０００６】
（２）第一実施形態の動作
以下、本実施形態のカード状の携帯用情報端末１００は、主として、駅の自動改札を通過する際に使用されるプリペイドカード、定期券として使用され、さらには、レンタルビデオショップ等で使用されるポイントカード、病院の診察券等としても使用される。プリペイドカード、定期券として使用される場合については、デフォルト状態において、プリペイドカード、定期券としての情報、プログラムが装備されている。一方、駅の改札近傍に設置されたサーバ２００は、常時所定周波数の電波の信号を放出している。
【０００７】
電池交換、リセットスイッチの投入により、図３のルーチンが起動する。ステップＳＰ１１０においては、サーバ２００が発する電波が、ワイヤレス受信部５０により受信され、電界強度が所定レベルになっているか判定される。携帯用情報端末１００の所持者が駅の改札から離れており、サーバ２００が発する受信電波の電界強度が所定レベルに達していない場合には、「ＮＯ」と判定され、その判定が繰り返される。この場合においては、表示パネル４０には日付、時刻等が表示される。一方、携帯用情報端末１００の所持者が駅の改札に近づくことによって、電界強度が強くなる。それにより、サーバ２００が発する受信電波の電界強度が所定レベルに達すると、ステップＳＰ１１０において「ＹＥＳ」と判定され、ステップＳＰ１２０に進む。なお、複数のサーバが携帯用情報端末１００の近傍に存在し、電界強度が所定レベル以上のサーバが複数存在した場合には、最もレベルが高いサーバの電波が受信される。
【０００８】
ステップＳＰ１２０においては、サーバ２００から商取引の内容が受信され、プリペイドカード、定期券としての取引であることが確認される。フラッシュＲＯＭ２０に利用駅名、利用日等の情報が記憶され、ステップＳＰ１３０に進む。
【０００９】
ステップＳＰ１３０においては、所定の処理、表示が行なわれる。利用駅が定期券の区間情報に記憶された駅であれば定期券としての表示が行なわれ、乗車区間、使用期限が表示される。また、それ以外の駅であればプリペイドカードとして機能し、残高が表示される。プリペイドカード機能であれば、乗車時の自動改札の通過により、乗車時刻が表示され、降車時の自動改札の通過により、残高が減少し、乗車駅、降車駅、運賃の表示が行なわれる（図４（ａ））。そして、フラッシュＲＯＭ２０にそれらの情報が記憶される。
【００１０】
なお、電車内に設けたサーバが列車の管制システムより、電車の位置情報を入手し、該サーバが該位置情報、運賃、次の停車駅の駅名などの位置関連情報を送信し、携帯用情報端末１００の表示パネル４０に該位置関連情報を表示するサービスを提供してもよい。この際、サーバより運賃表が送信され、乗車駅情報との対比により次の停車駅の運賃が表示される。また、機能スイッチ７１の押下によって、表示の切替が行なわれる。これにより電波の受信が出来ないところでも、取引残高の確認、定期券の使用期限等の確認が行なわれる。これらの処理、表示の後、ステップＳＰ１４０に進む。
【００１１】
ステップＳＰ１４０においては、受信電波の電界強度が所定レベルになっているか判定される。携帯用情報端末１００の所持者が駅の自動改札から離れておらず、電界強度が所定のレベル以上であれば、「ＹＥＳ」と判定され、ステップＳＰ１３０に戻り、処理、表示が続けられる。一方、所持者が駅の改札から離れ、電界強度が所定のレベル以下になれば、「ＮＯ」と判定され、ステップＳＰ１１０に戻る。
【００１２】
また、レンタルビデオショップ等で使用されるポイントカード、病院の診察券等としても使用する場合に於いては、店舗内で、商取引の内容、プログラムを新たに転送、追加する。その追加は、ワイヤレス受信部５０で行われる。その追加された内容により、新たな商取引の内容、端末機能が自動的にデフォルトの機能として設定される。以降、商取引が行われる店舗、病院内に設置されたサーバが発する電波により、商取引の内容が把握され、所定の処理、表示がされる。ここで、商標を表示して、各店舗が識別される。
【００１３】
２．第２実施形態
（１）第２実施形態の構成
第１実施形態は、カード型の携帯用情報端末を用いて、プリペイドカード、定期券等に用いたが、腕時計型にすることも可能である。また、本実施形態の携帯用情報端末は、個人情報の認証を自動的に行なうことが出来る。この携帯用情報端末のブロック図を図２に示す。
図において、ＣＰＵ１０、フラッシュＲＯＭ２０、ＲＡＭ３０、表示パネル４０、電源部４５、バスライン８０は前述したものと同様である。さらに、５５はワイヤレス送受信部であり、受信機能のみならず送信機能を有する。スイッチ部７５は、選択スイッチ７８および機能スイッチ７９によって構成される（図５（ｂ））。９０は警告ブザーであり、必要に応じて設けられ、バイブレータであってもよい。以上により、本実施形態の携帯用情報端末３００が構成される。該携帯用情報端末３００の筐体は腕時計型である。また、携帯用情報端末３００の裏面には絶縁フィルムが貼付され（図示せず）、人体との絶縁により、腕時計自体がアンテナとして機能する。２５０はサーバであり、例えば、銀行店舗内に設けられる。
【００１４】
（２）第２実施形態の動作
本実施形態の携帯用情報端末３００は、銀行のキャッシュカードとしても使用される。そのため、デフォルト状態で、プリペイドカード、定期券としての機能、プログラムのみならず、キャッシュカードとしての機能、プログラムが組み込まれている。
【００１５】
電池交換、リセットスイッチの投入により、図４のルーチンが起動する。ステップＳＰ２１０においては、サーバ２５０が発する電波が、ワイヤレス送受信部５５を介して受信され、電界強度が所定のレベルになっているか判定される。携帯用情報端末３００の所持者が銀行外におり、サーバ２５０が発する受信電波の電界強度が所定のレベルに達していない場合には、「ＮＯ」と判定され、その判定が繰り返される。この場合においては、表示パネル４０には日付、時刻等が表示される。一方、携帯用情報端末３００の所持者が銀行内に入ることによって、サーバ２５０が発する受信電波の電界強度が所定のレベルに達すると、ステップＳＰ２１０において「ＹＥＳ」と判定され、ステップＳＰ２２０に進む。なお、複数のサーバが携帯用情報端末３００の近傍に存在し、電界強度が所定レベル以上のサーバが複数存在した場合には、最もレベルが高いものの電波が受信される。
【００１６】
ステップＳＰ２２０においては、サーバ２５０から商取引の内容が受信され、銀行取引であることが把握される。ここで、商取引の内容には、振り込み、残高照会、入金、出金等の内容が含まれる。さらに、フラッシュＲＯＭ２０に該情報が記憶され、ステップＳＰ２３０に進む。
【００１７】
ステップＳＰ２３０においては、ユーザ情報の送信がワイヤレス送受信部５５を介して行なわれ、ステップＳＰ２４０に進む。ここで、サーバ２５０の内部では、予め記憶された顧客情報と該ユーザ情報の一致、不一致が判定され、一致が判定された場合には認証情報が作成される。
【００１８】
ステップＳＰ２４０においては、認証情報の受信がワイヤレス送受信部５５を介して行なわれる。これにより、個人情報の確認が行なわれ、ステップＳＰ２５０に進む。
【００１９】
ステップＳＰ２５０においては、所定の処理、表示が行なわれる。
選択スイッチ７８の押下によって、表示パネル４０に振り込み処理画面が表示され（図５（ｂ））、携帯用情報端末３００単体で振り込み処理が行なわれる。なお、図５（ｂ）の画面は振り込み金額の表示がされ、振込先、残高の表示は選択スイッチ７８の押下によって行われる。また同様に、携帯用情報端末３００単体で残高照会も可能である。さらに、ＡＴＭ（Ａｕｔｏｍａｔｉｃ　Ｔｅｌｌｅｒ　Ｍａｃｈｉｎｅ）の使用においても同様に、ワイヤレス送受信部５５を介して操作者の確認が行なわれ、出金処理、入金処理が行われる。
【００２０】
さらに、機能スイッチ７９の押下により表示、機能が手動で切り換えられ、警報ブザー９０を設けることにより、残高不足などが告知される。また、駅のプリペイドカードとして使用される場合においては、改札口手前で残高不足が告知される。
【００２１】
ステップＳＰ２６０においては、受信電界強度が所定レベル以上になっているか否かが判定される。携帯用情報端末３００の所持者が銀行内におり、所定の電界強度以上であれば、「ＹＥＳ」と判定され、ステップＳＰ２５０に戻り、処理、表示が続けられる。一方、所持者が銀行の外に出て、所定の電界強度以下になれば、「ＮＯ」と判定され、ステップＳＰ２１０に戻る。
【００２２】
さらに、キャッシュカードの機能を有することにより、自動販売機等の支払い処理を自動的に行うことも可能である。
【００２３】
３．変形例
本発明は上述した実施形態に限定されるものではなく、例えば以下のような種々の変形が可能であり、全て本発明の範疇に含まれる。
（１）第二実施形態は、筐体を腕時計型にしたが、ペンダント型などでもよい。これらの形状であれば、人体に固定することが可能であるので、紛失の防止が図られ、カードの取り出しの手間を省くことが出来る。
（２）上記実施形態の説明では、複数のサーバが携帯用情報端末の近傍に存在する場合において同一周波数の電波を発生し、最もレベルが高いものの電波が受信されるとしていたが、各サーバが異なる周波数の電波を発生し、携帯用情報機器１００，３００の側で受信周波数をスキャンして、最もレベルが高いものの電波を受信することにすれば混信の防止が図られる。
【００２４】
（３）各処理を行うための処理部の機能を実現する為のプログラムは、それぞれ別々のプログラムモジュールにより構成してもよいし、一体化したプログラムモジュールにより構成してもよい。また、これらの機能の全部または一部を論理回路によるハードウエアで構成しても構わない。また、各プログラムモジュールは、既存のアプリケーションプログラムに組み込んで動作させてもよいし、独立のプログラムとして動作させてもよい。上記のような本発明を実現するためのコンピュータプログラムは、コンピュータ読み取り可能な記録媒体に記録して、この記録媒体に記録されたプログラムをコンピュータに読み込ませ、実行することにより各処理を行っても良い。また、ネットワークを通じてコンピュータのメモリ中にダウンロードして利用することもできる。
【００２５】
ここで、「コンピュータ読み取り可能な記録媒体」とは、フレキシブルディスク、光磁気ディスク、ＲＯＭ、ＣＤ−ＲＯＭ等の可搬媒体、コンピュータサーバに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータサーバ内部の揮発メモリ（ＲＡＭ）のように、一定時間プログラムを保持しているものも含むものとする。
【００２６】
また、上記プログラムは、このプログラムを記憶装置等に格納したコンピュータサーバから、伝送媒体を介して、あるいは、伝送媒体中の伝送波により他のコンピュータサーバに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現する為のものであっても良い。さらに、前述した機能をコンピュータサーバに既に記録されているプログラムとの組み合わせで実現できるもの、いわゆる差分ファイル（差分プログラム）であっても良い。また、上述した説明にあっては、表示パネルを、ドットマトリクス方式の液晶表示パネルとして説明したが、これに限るものではなく、エレクトロルミネッセンス（ＥＬ）、デジタルマイクロミラーデバイス（ＤＭＤ）、或いは、プラズマ発光や電子放出による蛍光等を用いた様々な電気光学素子を用いた電気光学装置であっても構わない。
【００２７】
【発明の効果】
以上説明したように、
筐体と、前記筐体に設けられた表示手段と、複数の所定の内容に対応した画面を前記表示手段に表示させる制御手段とを具備する構成によれば、一台の携帯用情報端末によって複数の商取引に対応することが可能になる。
また、画像を表示する表示手段と、商取引を行うサーバが送信する信号を受信し、該信号の強度が所定値以上の場合に、該サーバから商取引の内容を受信する受信手段とを有した携帯用情報端末であって、前記商取引の内容に応じて、前記表示手段の表示内容および端末機能を設定する構成によれば、一台の携帯用情報端末によって複数の商取引に対応することが可能になる。
さらに、腕時計型の筐体を有する構成によれば、紛失の防止が図られる。
【図面の簡単な説明】
【図１】第一実施形態のブロック図である。
【図２】第二実施形態のブロック図である。
【図３】第一実施形態の動作を示すフローチャートである。
【図４】第二実施形態の動作を示すフローチャートである。
【図５】第一実施形態における表示例および第二実施形態の外観図を示す図である。
【符号の説明】
１０…ＣＰＵ
２０…フラッシュＲＯＭ
３０…ＲＡＭ
４０…表示パネル
４５…電源部
５０…ワイヤレス受信部（受信手段）
５５…ワイヤレス送受信部（受信手段、送信手段）
７０，７５…スイッチ部
７１，７９…機能スイッチ
７８…選択スイッチ
８０…バスライン
９０…警告ブザー（警告手段）
１００…携帯用情報端末（カード型）
２００，２５０…サーバ
３００…携帯用情報端末（腕時計型）
【図１】
2004046531.tif 000003
【図２】
2004046531.tif 000004
【図３】
2004046531.tif 000005
【図４】
2004046531.tif 000006
【図５】
2004046531.tif 000007